(57)【特許請求の範囲】
【請求項１】
互いに対向する第１及び第２の面を有する筐体と、
前記筐体の前記第１の面側に取り付けられたハードディスクを収容するケース及びスピーカと、
前記筐体の前記第２の面の前記スピーカに対向する領域に配置され、前記スピーカから後方に放射された音波を吸収する第１の吸音部材と、
前記ケースの前記筐体の前記第２の面に対向する面に配置され、前記スピーカの後方に放射され、前記第２の面で反射した音波を吸収する第２の吸音部材と、
を備えたことを特徴とするハードディスク内蔵テレビ。
【請求項２】
互いに対向する第１及び第２の面を有する筐体と、
前記筐体の前記第１の面に取り付けられた映像を表示するパネルと、
前記筐体の前記第１の面側に取り付けられたハードディスクを収容するケース及びスピーカと、
前記ケースの前記筐体の前記第２の面に対向する面に配置され、前記スピーカの後方に放射され、前記第２の面で反射した音波を吸収する第２の吸音部材と、
を備えたことを特徴とするハードディスク内蔵テレビ。
【請求項３】
前記ケースは、吸気又は排気のための開口を有し、前記第２の吸音部材は前記開口を覆わないように配置されることを特徴とする請求項１又は２に記載のハードディスク内蔵テレビ。
【請求項４】
前記ケースは、前記スピーカからの振動を吸収する防振部材を介して前記第１の面に取り付けられ、前記第２の吸音部材と前記防振部材との間に前記ケースが取り付けられたことを特徴とする請求項１〜３のいずれかに記載のハードディスク内蔵テレビ。
【請求項５】
前記ハードディスクを収容するケースは、ケースを構成する面のうち主面の一方が前記第１の面側に取り付けられることを特徴とする請求項１〜４のいずれかに記載のハードディスク内蔵テレビ。
【請求項６】
前記吸音部材及び前記防振部材は、同一の吸音材料から形成されたことを特徴とする請求項４に記載のハードディスク内蔵テレビ。
【請求項７】
前記吸音部材は、前記防振部材より厚さが厚いことを特徴とする請求項４に記載のハードディスク内蔵テレビ。
【請求項８】
前記吸音材料は、連続気包体からなることを特徴とする請求項１〜７に記載のハードディスク内蔵テレビ。
【請求項９】
前記防振部材は、厚さ０．５〜３．５ｍｍを有し、
前記吸音部材は、厚さ５〜３５ｍｍを有することを特徴とする請求項４に記載のハードディスク内蔵テレビ。
【発明の詳細な説明】
【技術分野】
【０００１】
本発明は、ハードディスクを内蔵したハードディスク内蔵テレビに関する。
【背景技術】
【０００２】
近年、テレビジョン受像機では、多機能化に伴い、ハードディスクを搭載したものが実用化されている（例えば、特許文献１参照）。
【０００３】
このテレビジョン受像機は、筐体内にテレビ構成部品とハードディスクとを備えており、ハードディスクは、トレイ上に弾性部材を介して取り付けられている。これにより、スピーカからの振動がハードディスクに伝達するのを防止することができる。
【特許文献１】特開２００２−２３８００８号公報
【発明の開示】
【発明が解決しようとする課題】
【０００４】
しかし、従来のハードディスク内蔵テレビによると、スピーカから後方に放射される音波が筐体で反射し、それがハードディスクのトレイに伝搬し、ハードディスクへのアクセスエラーを招くおそれがある。
【０００５】
従って、本発明の目的は、スピーカからの音波や振動に起因するハードディスクへのアクセス不良を軽減することが可能なハードディスク内蔵テレビを提供することにある。
【課題を解決するための手段】
【０００６】
本発明の一態様は、上記目的を達成するため、互いに対向する第１及び第２の面を有する筐体と、前記筐体の前記第１の面側に取り付けられたハードディスクを収容するケース及びスピーカと、前記筐体の前記第２の面の前記スピーカに対向する領域に配置され、前記スピーカから後方に放射された音波を吸収する第１の吸音部材と、前記ケースの前記筐体の前記第２の面に対向する面に配置され、前記スピーカの後方に放射され、前記第２の面で反射した音波を吸収する第２の吸音部材と、を備えたことを特徴とするハードディスク内蔵テレビを提供する。
【０００７】
上記構成のハードディスク内蔵テレビによれば、スピーカから後方に放射された音波は、吸音部材によって吸収されるため、第２の面で反射してハードディスクに伝搬する音波を抑制することができる。
【発明の効果】
【０００８】
本発明によれば、スピーカからの音波や振動に起因するハードディスクへのアクセス不良を軽減することが可能となる。
【発明を実施するための最良の形態】
【０００９】
［第１の実施の形態］
図１は、本発明の第１の実施の形態に係るハードディスク内蔵テレビの正面図、図２はハードディスク内蔵テレビの側面図、図３はハードディスク内蔵テレビを側面から見た断面図である。
【００１０】
このハードディスク内蔵テレビ１は、図１、図２に示すように、液晶パネル２と、液晶パネル２の周辺を覆うＡＢＳ等の樹脂、アルミニウム等の金属からなる化粧カバー３と、液晶パネル２の下側の左右に設けられた一対のスピーカ用窓３ａと、液晶パネル２の裏側に配置されたハードディスク８を収容したハードディスク内ケース９Ｂとを備える。なお、ハードディスク内ケース９Ｂは、図１の矢印に示す方向に引き出して、ハードディスク８を交換できるように構成されている。また、図１、図２中、７０、７１は、それぞれ後述する第２のシャーシを構成するベース、脚部である。
【００１１】
また、ハードディスク内蔵テレビ１は、図３に示すように、表面側に液晶パネル２が取り付けられた第１のシャーシ５と、第１のシャーシ５とともに共通の空間６を形成するように第１のシャーシ５の裏面側に取り付けられた第２のシャーシ７とを備える。第１及び第２のシャーシ５，７は、アルミニウム、ステンレス鋼等の金属からなり、液晶パネル２、ハードディスク８等を収容する筐体を構成している。
【００１２】
第２のシャーシ７の下部には、前述したように、脚部７０及びベース７１が取り付けられ、テレビ台等の上に載置できるように構成されている。
【００１３】
また、ハードディスク内蔵テレビ１は、図３に示すように、第１のシャーシ５の裏側にハードディスク８を保持したハードディスク内ケース９Ｂを出し入れ可能に収容するハードディスク外ケース９Ａが取り付けられ、そのハードディスク外ケース９Ａの下方には、上記のスピーカ４が取り付けられている。第１のシャーシ５のスピーカ４に対応する部分には、スピーカ用開口５ａが形成されている。第２のシャーシ７の左側面には、図２に示すように、ハードディスク内ケース９Ｂを出し入れするための取出口７ｃが設けられている。
【００１４】
（防振・吸音構造）
次に、ハードディスク８に対する防振・吸音構造を説明する。ハードディスク外ケース９Ａは、防振部材１０を介してネジ等の締結部材によって第１のシャーシ５の内面（第１の面）５ｂに取り付けられている。また、第２のシャーシ７の内面（第２の面）７ｄのスピーカ４に対向する領域には、吸音部材１１が接着剤等により接合されている。なお、吸音部材１１が接合される第２のシャーシ７の内面７ｄの領域は、平面に限られず、一部に曲面を有していてもよく、全体が曲面であってもよい。
【００１５】
防振部材１０は、厚さ０．５〜３．５ｍｍ、好ましくは１〜３ｍｍ、より好ましくは１．５〜２．５ｍｍを有する吸音材料から形成され、低音域（例えば、１００〜２００Ｈｚ）で高い防振性能を発揮する。防振部材１０の厚さや大きさ（接合面積）は、防振する周波数に応じて選択することができる。この防振部材１０により、スピーカ４から第１のシャーシ５を介して伝搬する振動４ａを吸収させることができる。
【００１６】
吸音部材１１は、厚さ５〜３５ｍｍ、好ましくは１０〜３０ｍｍ、より好ましくは１５〜２５ｍｍを有する吸音材料から形成され、高音域（例えば、１〜２ｋｚ）で高い吸音性能を発揮する。吸音部材１１の厚さや大きさ（接合面積）は、吸音する周波数に応じて選択することができる。この吸音部材１１により、スピーカ４の後方に放射される音波４ｂを吸収することができる。
【００１７】
上記防振部材１０及び吸音部材１１の吸音材料は、独立気泡体より吸音性に優れる連続気泡体からなる。連続気泡体としては、例えば、ポリウレタン発泡体、ポリエチレン発泡体、メラミン発泡体等を用いることができる。本実施の形態では、エチレンプロピレンゴム（ＥＰＤＭ）発泡体からなる日東電工株式会社製のエフトシーラ吸音材を用い、防振部材１０には厚さ２ｍｍ、吸音部材１１には厚さ２０ｍｍのものを用いた。
【００１８】
（放熱構造）
第２のシャーシ７は、ハードディスク８の真下に、吸気口７ａが形成され、第２のシャーシ７のハードディスク８の真上に、排気口７ｂが形成されている。ハードディスク外ケース９Ａは、下側に吸気側開口９ａが形成され、上側に排気側開口９ｂが形成されている。そして、ハードディスク外ケース９Ａの吸気側開口９ａの下に冷却ファン１２が取り付けられている。ハードディスク内ケース９Ｂは、ハードディスク８の周囲に冷却ファン１２からの風の流路が形成されるように構成されている。冷却ファン１２により風をハードディスク８に吹き付けることにより、風が、吸気口７ａ、吸気側開口９ａ、ハードディスク８の周辺、排気側開口９ｂ及び排気口７ｂを経由して外部に放出するようになっている。
【００１９】
この第１の実施の形態によれば、スピーカ４からハードディスク８に伝搬する低音域の振動を防振部材１０によって吸収させることができる。また、スピーカ４から後方に放射される高音域の音波を吸音部材１１によって吸収させることができるため、第２のシャーシ７で反射してスピーカ４に戻る音波がハードディスク８に伝搬するのを防ぐことができる。この結果、スピーカ４からの音波や振動に起因するハードディスク８へのアクセス不良を軽減することができる。
【００２０】
［第２の実施の形態］
図４は、本発明の第２の実施の形態に係るハードディスク内蔵テレビを側面から見た断面図である。このハードディスク内蔵テレビ１は、ハードディスク外ケース９Ａの第２のシャーシ７に対向する面に吸音部材１３を接着剤等によって接合したものである。
【００２１】
この第２の実施の形態によれば、第２のシャーシ７に設けた吸音部材１１によって吸音できず、第２のシャーシ７で反射した音波４ｃをハードディスク外ケース９Ａに設けた吸音部材１３により吸音することができるので、第１の実施の形態と比較してより一層吸音効果が大きくなり、スピーカ４からの音波や振動に起因するハードディスク８へのアクセス不良をより一層軽減することができる。
【００２２】
［第３の実施の形態］
図５は、本発明の第３の実施の形態に係るハードディスク内蔵テレビを側面から見た断面図である。第１の実施の形態では、第２のシャーシ７の内面７ｄの一部に吸音部材１１を接合したが、本実施の形態は、第２のシャーシ７の内面７ｄの第１のシャーシ５の内面５ｂと対向する面全体、及びこの面から延在して吸気口７ａ及び排気口７ｂの近傍までを、吸音部材１４を接着剤等によって接合したものである。
【００２３】
この第３の実施の形態によれば、第２のシャーシ７に設けた吸音部材１４によってスピーカ４から後方に放射された音波４ｂを直接吸収するとともに、第２のシャーシ７の振動自体を低減することができるので、スピーカ４からの音波や振動に起因するハードディスク８へのアクセス不良をより軽減することができる。
【００２４】
なお、本発明は、上記実施の形態に限定されず、種々な変形実施が可能である。例えば、第３の実施の形態において、第２の実施の形態と同様に、ハードディスク外ケース９Ａの第２のシャーシ７に対向する面に吸音部材１３を接着剤等によって接合してもよい。これにより、スピーカ４からの音波がハードディスク８に伝搬するのをより一層防止することができる。
【図面の簡単な説明】
【００２５】
【図１】本発明の第１の実施の形態に係るハードディスク内蔵テレビの正面図である。
【図２】図１に示すハードディスク内蔵テレビの側面図である。
【図３】図１に示すハードディスク内蔵テレビを側面から見た断面図である。
【図４】本発明の第２の実施の形態に係るハードディスク内蔵テレビを側面から見た断面図である。
【図５】本発明の第３の実施の形態に係るハードディスク内蔵テレビを側面から見た断面図である。
【符号の説明】
【００２６】
１…ハードディスク内蔵テレビ、２…液晶パネル、３…化粧カバー、
３ａ…スピーカ用窓、４…スピーカ、５…第１のシャーシ、５ａ…スピーカ用開口、
５ｂ…内面、６…空間、７…第２のシャーシ、７ａ…吸気口、７ｂ…排気口、
７ｃ…取出口、７ｄ…内面、８…ハードディスク、９Ａ…ハードディスク外ケース、
９Ｂ…ハードディスク内ケース、９ａ…吸気側開口、９ｂ…排気側開口、
１０…防振部材、１１…吸音部材、１２…冷却ファン、１３…吸音部材、
１４…吸音部材、７０…脚部、７１…ベース
【図１】
0004745117.tif 000002
【図２】
0004745117.tif 000003
【図３】
0004745117.tif 000004
【図４】
0004745117.tif 000005
【図５】
0004745117.tif 000006